(57)【要約】【課題】吸殻や異物を噛み込んで停止するおそれがなくかつコストの上昇を抑えつつ従来よりも薄形化された吸殻回収装置を提供する。【解決手段】台座内で吸殻を受容する吸殻受容手段（吸殻受容器２）と、該吸殻を該吸殻受容手段２の一端部に移送する吸殻移送手段と、該吸殻を貯留する吸殻貯留手段とを有し、該吸殻移送手段は、該吸殻受容手段２の少なくとも一端部と他端部とに軸支される複数個の支持回転体（固定スプロケット３１）と、該支持回転体３１に架装されて輪転する環状担体（エンドレスチェーン４）と、該環状担体４に保持されて該吸殻を捕集する吸殻捕集部材（捕集板５）と、該環状担体４を駆動する駆動手段と、を備えた吸殻回収装置１であって、前記環状担体４の輪転経路で往復動する該環状担体４の離隔距離Ｄ２は、前記他端部で拡げられており、該輪転経路内の該離隔距離が拡がる領域を塞ぐように配設された制止部材８を備える。【選択図】図２
2008161580.tif 000002
【特許請求の範囲】
【請求項１】
複数の遊技台を戴置する台座の内部に配設され該台座の天板あるいは側板を貫通する複数の投入口から投入される吸殻を受容する吸殻受容手段と、該吸殻受容手段に溜まった該吸殻を該吸殻受容手段の一端部に移送する吸殻移送手段と、該吸殻受容手段の該一端部に配設され移送されてきた該吸殻を貯留する吸殻貯留手段とを有し、該吸殻移送手段は、該吸殻受容手段の少なくとも該一端部と他端部とに軸支される複数個の支持回転体と、該支持回転体に架装されて輪転する環状担体と、該環状担体に保持されて該他端部から該一端部まで移動しながら該吸殻を捕集する吸殻捕集部材と、該環状担体を駆動する駆動手段と、を備えた吸殻回収装置であって、
前記環状担体の輪転経路で往復動する該環状担体の離隔距離は、前記他端部で拡げられており、該輪転経路内の該離隔距離が拡がる領域を塞ぐように配設された制止部材を備える、ことを特徴とする吸殻回収装置。
【請求項２】
前記環状担体はエンドレスチェーンであり、前記支持回転体はスプロケットである請求項１に記載の吸殻回収装置。
【請求項３】
前記制止部材の前記一端部側の先端は、前記環状担体の幅寸法の内側に配置されている、請求項１または２のいずれかに記載の吸殻回収装置。
【発明の詳細な説明】
【技術分野】
【０００１】
本発明は、遊技台が戴置される台座の内部に形成されて複数の投入口から投入されるたばこの吸殻を自動的に回収する吸殻回収装置に関し、より詳細には薄形化された吸殻回収装置に関する。
【背景技術】
【０００２】
遊技店では、複数の遊技台が台座上に一列に戴置され、遊技者の喫煙の便を考慮して各遊技台に灰皿が設置されるのが一般的である。そして、この灰皿に溜まった吸殻を回収するために、遊技店の係員は各遊技台を巡回している。最近では、係員の手間を省くために、個々の灰皿に代えて投入口が備え付けられ、投入された吸殻を台座の内部に落とし込んで自動的に回収する吸殻回収装置が用いられる場合も多い。
【０００３】
一例として、特許文献１に開示される吸殻回収装置は、吸殻受け部と吸殻移送手段と吸殻受容手段とからなり、吸殻移送手段はエンドレスチェーンと複数のスプロケットと吸殻捕集部材とを有している。そして、エンドレスチェーンの駆動により吸殻捕集部材を移動させて吸殻受け部内の吸殻を吸殻受容手段に移送するようになっている。さらに、付勢手段によりエンドレスチェーンの撓みの影響を取り除くとともに、走行停止手段によって吸殻や異物が引っ掛かった場合の故障を防ぐように構成されている。また、実施例に記載されるように、エンドレスチェーンはガイド溝の中を案内されるように構成され、吸殻や異物の付着が抑制されている。
【０００４】
一方、台座内には遊技球研磨装置などの付帯設備が設けられ、台座前面下方に点検用の開閉カバーが設けられる場合が多い。したがって、吸殻回収装置は、開閉カバーの操作の障害とならないように配置されている。
【特許文献１】特開２００５−１３７６９５号公報
【発明の開示】
【発明が解決しようとする課題】
【０００５】
ところで、台座内の付帯設備には大形の開閉カバーを必要とする場合があり、吸殻回収装置を薄形に形成する必要がある。また、遊技者の足元の空間が拡がって快適性が向上するという意味からも、薄形化は好ましい。ところが、吸殻回収装置を従来よりも薄形化するためには、スプロケットの大きさが障害となっていた。すなわち、吸殻回収装置の高さはスプロケット径によって決まるのであるが、エンドレスチェーンを安定して輪転させるために一定以上のスプロケット径が必要であって、ただ単に小形品に置き換えることはできない。特殊な構造で小形のスプロケットを製作することはできるが、汎用品と比較してコストが上昇する。チェーンとスプロケットとの両方を小形品に交換すれば、機械的強度の低下が懸念される。
【０００６】
この対策として、台座の端部付近の装置高さは従来寸法として従来のスプロケットを配置し、台座の中央で装置を薄形化する構造が考えられる。この対策では、往復動するチェーンの離隔距離は、薄形化された部分では従来よりも小とされ、スプロケット付近では拡がることになる。すると、離隔距離が拡がる領域には従来の平行するガイド溝を用いることができず、チェーンをむきだしにするとスプロケットとの間に吸殻や異物を噛み込んで停止してしまうおそれが生じる。また、チェーンの輪転経路に沿って拡がるガイド溝を構成することは、構造の複雑化によるコストの上昇を招くとともに、ガイド溝の特定箇所にチェーンが常に摺動して摩滅することが懸念される。
【０００７】
本発明は上記背景に鑑みてなされたものであり、吸殻や異物を噛み込んで停止するおそれがなくかつコストの上昇を抑えつつ従来よりも薄形化された吸殻回収装置を提供する。
【課題を解決するための手段】
【０００８】
本発明の吸殻回収装置は、複数の遊技台を戴置する台座の内部に配設され該台座の天板あるいは側板を貫通する複数の投入口から投入される吸殻を受容する吸殻受容手段と、該吸殻受容手段に溜まった該吸殻を該吸殻受容手段の一端部に移送する吸殻移送手段と、該吸殻受容手段の該一端部に配設され移送されてきた該吸殻を貯留する吸殻貯留手段とを有し、該吸殻移送手段は、該吸殻受容手段の少なくとも該一端部と他端部とに軸支される複数個の支持回転体と、該支持回転体に架装されて輪転する環状担体と、該環状担体に保持されて該他端部から該一端部まで移動しながら該吸殻を捕集する吸殻捕集部材と、該環状担体を駆動する駆動手段と、を備えた吸殻回収装置であって、前記環状担体の輪転経路で往復動する該環状担体の離隔距離は、前記他端部で拡げられており、該輪転経路内の該離隔距離が拡がる領域を塞ぐように配設された制止部材を備える、ことを特徴とする。
【０００９】
前記環状担体はエンドレスチェーンであり、前記支持回転体はスプロケットであってもよい。
【００１０】
前記制止部材の前記一端部側の先端は、前記環状担体の幅寸法の内側に配置されている、ことが好ましい。
【００１１】
本発明は、支持回転体は従来のままで往復動する環状担体の離隔距離を従来よりも小さくするとともに、支持回転体付近の離隔距離が拡がる領域に制止部材を配置することにより吸殻や異物の噛み込みを防止し、吸殻回収装置を薄形化したことを要旨としている。
【００１２】
吸殻受容手段は、台座の内部に配設されて吸殻を受容する手段であり、特許文献１の吸殻受け部など、従来の構造を応用することができる。詳述すると、台座には天板あるいは側板を貫通する複数の投入口を形成することができる。この投入口から投入される吸殻やその他の異物を受容するために、全ての投入口の下側を通り台座の全長に渡って長尺状の容器を配し、吸殻受容手段とすることができる。さらに、容器の高さは、薄形化のニーズに合わせて、従来よりも適宜小さくすることができる。
【００１３】
吸殻貯留手段は、吸殻受容手段の一端部に配設され、移送されてきた該吸殻を貯留する手段であり、消火水の入った水槽などの手段を適用することができる。
【００１４】
吸殻移送手段は、吸殻受容手段に溜まった該吸殻を一端部に移送する手段であり、複数個の支持回転体、環状担体、吸殻捕集部材、駆動手段で構成することができる。支持回転体は、吸殻受容手段の少なくとも一端部と他端部とに軸支されるものであり、例えばスプロケットを用いることができる。環状担体は、支持回転体に架装されて輪転するものであり、例えばエンドレスチェーンを用いることができる。スプロケットとエンドレスチェーンとの組み合わせは、滑車とベルトなど、同等の機能を有する他の部材に代えることもできる。吸殻捕集部材は、環状担体に保持されて吸殻受容手段の他端部から一端部まで移動しながら吸殻を捕集する部材である。吸殻捕集部材には、例えば、前述の長尺状の容器の底面に摺接しながら移動する捕集板を適用することができる。駆動手段は、環状担体を輪転させる動力源である。駆動手段は、例えばモータによりいずれかの支持回転体を回転駆動することで、実現することができる。
【００１５】
さらに、輪転経路で往復動する環状担体の離隔距離は、従来よりも小とすることができる。例えば、前述の長尺状の容器の奥側の側面に従来よりも狭い間隔で２本のガイド溝を平行かつ水平に形成し、ガイド溝内を環状担体が輪転するように形成することができる。そして、容器の他端部よりも手前でガイド溝が終わるように形成することができる。また、容器の他端部には、従来と同一径の支持回転体例えばスプロケットを軸支することができる。すると、ガイド溝の間隔よりも支持回転体の径が大きくなっているので、往復動する環状担体の離隔距離は、他端部で支持回転体に近づくにつれ拡げられることになる。
【００１６】
制止部材は、輪転経路内の離隔距離が拡げられた領域、上述の例ではガイド溝を出た後支持回転体に至るまでの領域を塞ぐように配設される部材である。制止部材には、当該領域の形状に加工された板状の部材を用いることができる。さらに、制止部材の支持回転体側とは逆の一端部側の先端を、環状担体の幅寸法の内側に配置することができる。例えば、板状の部材の先端を緩やかに折り曲げあるいは面取りして、環状担体の幅寸法よりも小さく仕上げ、環状担体の幅寸法の中央に配置することができる。
【００１７】
次に、上述のように構成された本発明の吸殻回収装置の作用について説明する。投入口から投入された吸殻は、通常は吸殻受容手段の底部に溜まり、吸殻捕集部材により他端部側から一端部側の吸殻貯留手段へと移送される。しかしながら、他端部に戻る途中の吸殻捕集部材に引っ掛かったり、タールの粘性により付着したりする場合がある。また、たばこの包装セロハンやその他さまざまな異物が投入されて吸殻捕集部材に引っ掛かり、あるいは付着することも想定される。戻る途中の吸殻捕集部材に係止された吸殻や異物は、他端部側の支持回転体に向けて逆送される。そして、途中で制止部材に当接すると、制止されて底部に落下し、最終的に吸殻貯留手段へと移送され、吸殻受容手段内に滞留することなく回収される。特に、制止部材の先端を環状担体よりも内側に配置した態様では、吸殻や異物が制止部材に引っ掛かって滞留するおそれが解消される。
【００１８】
したがって、吸殻や異物が環状担体と支持回転体との間に噛み込まれることはなく、装置が停止するおそれはない。
【発明の効果】
【００１９】
本発明の吸殻回収装置では、往復動する環状担体の離隔距離を他端部で拡げ、この離隔距離が拡がる領域を塞ぐように制止部材を配設したので、吸殻や異物を確実に制止することができ、噛み込んで停止するおそれがない。また、制止部材は板状の部材を加工して形成することができ、特殊な構造のスプロケットや複雑な形状のガイド溝を製作する場合と比較して低廉なコストで吸殻回収装置の薄形化を達成することができる。
【発明を実施するための最良の形態】
【００２０】
本発明の実施形態に先立ち、図１を参考にして従来の吸殻回収装置の構成を説明する。図１は、従来の吸殻回収装置を説明する正面断面図であり、従来の吸殻回収装置９は、吸殻受容器２９、４個のスプロケット３１〜３４、エンドレスチェーン４、複数個の捕集板５、図略の駆動モータ、水槽６、で構成されている。吸殻受容器２９は吸殻受容手段に相当する部材であり、図示されるように台座９１の内部に長手方向全長に渡って配され、図中右側の一端部が側部箱９２に開き、左側の他端部が閉じた容器である。また、吸殻受容器２９の天板２１と台座９１とを貫通して複数個の投入口２２が設けられ、吸殻が投入されて吸殻受容器２９内に落下するようになっている。スプロケット３１〜３４は支持回転体に相当する部材であり、吸殻受容器２９内の左端部には固定スプロケット３１が軸支され、右端部の側部箱９２内には、固定スプロケット３２，可動スプロケット３３、駆動スプロケット３４が軸支されている。駆動スプロケット３４は図略の駆動モータにより回転駆動されるようになっている。エンドレスチェーン４は環状担体に相当する部材であり、４個のスプロケット３１〜３４に架装され、駆動スプロケット３４に駆動されて図中に矢印で示されるように反時計回りに輪転するようになっている。また、可動スプロケット３３は軸心が移動することによってエンドレスチェーン４の張力を保つように構成されている。エンドレスチェーン４の輪転経路は、吸殻受容器２９の奥側の側面に設けられた図略の２本のレール溝に沿っている。このレール溝間の離隔距離Ｄ１と固定スプロケット３１の径とは略同寸法とされており、エンドレスチェーン４は吸殻受容器２９内を平行に往復動するようになっている。複数個の捕集板５は吸殻捕集部材に相当する部材であり、エンドレスチェーン４に略等間隔に保持され、吸殻受容器２９の底板２３上を摺接しながら移動することにより、吸殻を右端部へ移送するようになっている。水槽６は吸殻貯留手段に相当する部材であり、移送されてきた吸殻を槽内の消火水で確実に消火し、貯留するようになっている。
【００２１】
次に、本発明を実施するための最良の形態を、図２及び図３を参考にして説明する。図２は、実施例の吸殻回収装置１を説明する図であり、吸殻受容器２の左端部付近の正面断面を示している。また、図３は、図２の中央高さにおける平面断面図であり、エンドレスチェーン４は破線で示されている。実施例の吸殻回収装置１は、図１の従来構成を基本としつつ、装置を薄形化するために吸殻受容器２の高さＨ２を図１の従来の高さＨ１よりも小としている。これに伴い、往復動するエンドレスチェーン４の離隔距離Ｄ２も従来の離隔距離Ｄ１よりも小とされている。
【００２２】
図２及び図３を参考に詳述すると、吸殻受容器２の奥側の側板には、上から順に断面Ｈ形の上レール部２４、中レール部２５、下レール部２６が設けられており、上レール部２４と中レール部２５との間に断面矩形の上レール溝２７が形成され、中レール部２５と下レール部２６との間に断面矩形の下レール溝２８が形成されている。そして、エンドレスチェーン４は、上レール溝２７内を左方に向かって摺動し、下レール溝２８内を右方に向かって摺動するようになっている。捕集板５は、エンドレスチェーン４に固定されてレール溝２７、２８の前面の隙間から突出する支持体に保持され、レール部２４、２５、２６にぶつからないで輪転するように構成されている。
【００２３】
また、吸殻受容器２の左側は台座９１の左端よりも手前で終わり、吸殻受容器２を延長するように端部容器７が連結されている。端部容器７の高さは、図中右端では吸殻受容器２に等しく、左方に向かうにつれて大きくなっている。端部容器７の左端部には、従来と同一径の固定スプロケット３１が軸部材３５によって軸支され、エンドレスチェーン４が架装されるようになっている。すると、レール溝２７、２８間の間隔すなわち離隔距離Ｄ２よりも固定スプロケット３１の径が大きくなっているので、エンドレスチェーン４の輪転経路は端部容器７内では図中左に向かうにつれて八の字型に拡がっている。なお、端部容器７内にはレール部は配設されておらず、エンドレスチェーン４は吸殻受容器２のレール部２４、２５、２６と固定スプロケット３１との間に懸架されて輪転する。また、固定スプロケット３１と吸殻受容器２との間にはある程度の距離が設けられて輪転経路の拡がる角度が制限され、エンドレスチェーン４が摺動するレール部２４、２５、２６の左端コーナーの摩滅が抑制されている。
【００２４】
図２に示されるように、端部容器７内でエンドレスチェーン４の離隔距離が拡がる領域には制止部材８が配設されている。制止部材８は図中右側で狭く左側で広くなっており、当該領域を塞ぐように形成されている。さらに、図３に示されるように、制止部材８の板厚はエンドレスチェーン４の幅寸法Ｗよりも小さく、図中右側の先端８１は屈曲されて幅寸法Ｗの略中央に配置されている。制止部材８は、中央部が支持筒８２を介して端部容器７の奥板７１にねじ８３で締め付けられ、左側が固定スプロケット３１用の軸部材３５に係止されて、固定されている。
【００２５】
実施例の吸殻回収装置１では、投入された吸殻や異物が図中右から左へ戻る捕集板５に係止されあるいは付着して逆送されても、制止部材８に当接して落下し、底板２３に摺接しながら右へ移動する捕集板５によって、右方向に移送される。したがって、吸殻や異物がエンドレスチェーン４と固定スプロケット３１との間に噛み込まれることはない。また、制止部材８の先端８１は、エンドレスチェーン４の側面から突出していないので、吸殻や異物を引っかけて滞留させることもない。
【図面の簡単な説明】
【００２６】
【図１】従来の吸殻回収装置を説明する正面断面図である。
【図２】本発明の実施例の吸殻回収装置を説明する図であり、吸殻受容器の左端部付近の正面断面を示している。
【図３】図２の実施例の中央高さにおける平面断面図である。
【符号の説明】
【００２７】
１：吸殻回収装置
２、２９：吸殻受容器（吸殻受容手段）
２１：天板          ２２：投入口        ２３：底板
２４：上レール部    ２５：中レール部    ２６：下レール部
２７：上レール溝    ２８：下レール溝
３１、３２：固定スプロケット（支持回転体）
３３：可動スプロケット（支持回転体）    ３４：駆動スプロケット（支持回転体）
４：エンドレスチェーン（環状担体）
５：捕集板（吸殻捕集部材）
６：水槽（吸殻貯留手段）
７：端部容器
８：制止部材
８１：先端      ８２：支持筒      ８３：ねじ
Ｄ１、Ｄ２：往復動するエンドレスチェーンの離隔距離
Ｈ１、Ｈ２：吸殻受容器の高さ
Ｗ：エンドレスチェーンの幅寸法
【図１】
2008161580.tif 000003
【図２】
2008161580.tif 000004
【図３】
2008161580.tif 000005